(57)【要約】【課題】適切なタイミングで、ＣＳＩ-ＲＳの送信を開始する。【解決手段】本発明に係る移動通信方法は、無線基地局ｅＮＢが、配下のセル＃１において通信中の移動局ＵＥに対して、ＣＳＩ-ＲＳの送信方法を示す「ＣＳＩ-ＲＳ/Ｍｕｔｉｎｇ  ｃｏｎｆｉｇｕｒａｔｉｏｎ  ｉｎｆｏｒｍａｔｉｏｎ」を通知する工程Ａと、移動局ＵＥが、「ＣＳＩ-ＲＳ/Ｍｕｔｉｎｇ  ｃｏｎｆｉｇｕｒａｔｉｏｎ  ｉｎｆｏｒｍａｔｉｏｎ」に基づいて、受信処理を行う工程Ｂとを有する。【選択図】図３
2012109843.tif 000002
【特許請求の範囲】
【請求項１】
無線基地局が、配下のセルにおいて、チャネル品質情報測定専用の参照信号を送信する移動通信方法であって、
前記無線基地局が、配下のセルにおいて通信中の移動局に対して、前記参照信号の送信方法を示す構成情報を通知する工程Ａと、
前記移動局が、前記無線基地局からコネクション再構成信号を受信した後に、前記構成情報に基づいて、受信処理を行う工程Ｂと、
前記無線基地局が、前記移動局から前記コネクション再構成信号に対する応答を受信した後に、前記参照信号を送信するサブフレームにおける前記下りデータの送信を開始する工程Ｃとを有することを特徴とする移動通信方法。
【請求項２】
前記構成情報は、報知信号に含まれることを特徴とする請求項１に記載の移動通信方法。
【請求項３】
前記構成情報は、前記コネクション再構成信号に含まれることを特徴とする請求項１に記載の移動通信方法。
【請求項４】
前記工程Ｂにおいて、前記移動局は、前記受信処理として、前記参照信号の配置に応じたレートマッチングを行うことを特徴とする請求項１乃至３のいずれか一項に記載の移動通信方法。
【請求項５】
前記工程Ｂにおいて、前記移動局は、前記受信処理として、前記参照信号を用いたチャネル測定を行うことを特徴とする請求項１乃至３のいずれか一項に記載の移動通信方法。
【請求項６】
前記工程Ａにおいて、前記無線基地局は、前記移動局の能力に基づいて、該移動局に対して、前記構成情報を通知するか否かについて判定することを特徴とする請求項１乃至５のいずれか一項に記載の移動通信方法。
【請求項７】
配下のセルにおいて、チャネル品質情報測定専用の参照信号を送信することができるように構成されている無線基地局であって、
配下のセルにおいて通信中の移動局に対して、前記参照信号の送信方法を示す構成情報を通知するように構成されている送信部を具備しており、
前記送信部は、前記移動局からコネクション再構成信号に対する応答を受信した後に、前記参照信号を送信するサブフレームにおける前記下りデータの送信を開始するように構成されていることを特徴とする無線基地局。
【請求項８】
前記送信部は、報知信号によって、前記構成情報を通知するように構成されていることを特徴とする請求項７に記載の無線基地局。
【請求項９】
前記送信部は、前記コネクション再構成信号によって、前記構成情報を通知するように構成されていることを特徴とする請求項７に記載の無線基地局。
【請求項１０】
前記送信部は、前記移動局の能力に基づいて、該移動局に対して、前記構成情報を通知するか否かについて判定するように構成されていることを特徴とする請求項７乃至９のいずれか一項に記載の無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）のＲｅｌｅａｓｅ-８方式では、下りリンクにおいて、セル共通のＣＲＳ（Ｃｏｍｍｏｎ  Ｒｅｆｅｒｅｎｃｅ  Ｓｉｇｎａｌ）が送信されることが規定されている。
【０００３】
かかるＣＲＳは、移動局ＵＥにおいて、下りデータの復調処理に加えて、モビリティの測定やチャネル品質情報（ＣＱＩ：Ｃｈａｎｎｅｌ  Ｑｕａｌｉｔｙ  Ｉｎｄｉｃａｔｏｒ）の測定等に用いられる。
【０００４】
ここで、ＬＴＥのＲｅｌｅａｓｅ-１０方式では、ＣＲＳに加えて、ＣＱＩ測定専用に、セル共通のＣＳＩ-ＲＳ（Ｃｈａｎｎｅｌ  Ｓｔａｔｅ  Ｉｎｆｏｒｍａｔｉｏｎ-Ｒｅｆｅｒｅｎｃｅ  Ｓｉｇｎａｌ）が送信されることが規定されている。
【０００５】
さらに、ＬＴＥのＲｅｌｅａｓｅ-１０方式では、ＣＳＩ-ＲＳによる隣接セル間におけるチャネル推定精度の向上のために、隣接セル間で、ＣＳＩ-ＲＳと下りリンク用データチャネル（ＰＤＳＣＨ：Ｐｈｙｓｉｃａｌ  Ｄｏｗｎｌｉｎｋ  Ｓｈａｒｅｄ  Ｃｈａｎｎｅｌ）とが衝突しないように、ＣＳＩ-ＲＳを送信するサブフレームに、隣接セルのＰＤＳＣＨが割り当てないようにスケジューリングする方式（すなわち、Ｍｕｔｉｎｇ）が用いられることが規定されている。
【０００６】
ここで、無線基地局ｅＮＢが、移動局ＵＥに対して、上述のＣＳＩ-ＲＳの送信方法（例えば、ＣＳＩ-ＲＳ/Ｍｕｔｉｎｇのパターンや周期やサブフレームオフセット値等）を示す「ＣＳＩ-ＲＳ/Ｍｕｔｉｎｇ  ｃｏｎｆｉｇｕｒａｔｉｏｎ  ｉｎｆｏｒｍａｔｉｏｎ」を通知することが検討されている。
【先行技術文献】
【非特許文献】
【０００７】
【非特許文献１】３ＧＰＰ寄書  Ｒ１-１０５８４０
【非特許文献２】３ＧＰＰ寄書  Ｒ１-１０６３５３
【発明の概要】
【発明が解決しようとする課題】
【０００８】
しかしながら、ＬＴＥのＲｅｌｅａｓｅ-１０方式では、どのようなタイミングで、ＣＳＩ-ＲＳの送信（及び、Ｍｕｔｉｎｇ）を開始すべきかについて既定されていないという問題点があった。
【０００９】
そこで、本発明は、上述の課題に鑑みてなされたものであり、適切なタイミングで、ＣＳＩ-ＲＳの送信を開始することができる移動通信方法及び無線基地局を提供することを目的とする。
【課題を解決するための手段】
【００１０】
本発明の第１の特徴は、無線基地局が、配下のセルにおいて、チャネル品質情報測定専用の参照信号を送信する移動通信方法であって、前記無線基地局が、配下のセルにおいて通信中の移動局に対して、前記参照信号の送信方法を示す構成情報を通知する工程Ａと、前記移動局が、前記無線基地局からコネクション再構成信号を受信した後に、前記構成情報に基づいて、受信処理を行う工程Ｂと、前記無線基地局が、前記移動局から前記コネクション再構成信号に対する応答を受信した後に、前記参照信号を送信するサブフレームにおける前記下りデータの送信を開始する工程Ｃとを有することを要旨とする。
【００１１】
本発明の第２の特徴は、配下のセルにおいて、チャネル品質情報測定専用の参照信号を送信することができるように構成されている無線基地局であって、配下のセルにおいて通信中の移動局に対して、前記参照信号の送信方法を示す構成情報を通知するように構成されている送信部を具備しており、前記送信部は、前記移動局からコネクション再構成信号に対する応答を受信した後に、前記参照信号を送信するサブフレームにおける前記下りデータの送信を開始するように構成されていることを要旨とする。
【発明の効果】
【００１２】
以上説明したように、本発明によれば、適切なタイミングで、ＣＳＩ-ＲＳの送信を開始することができる移動通信方法及び無線基地局を提供することができる。
【図面の簡単な説明】
【００１３】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムの動作を示すシーケンス図である。
【発明を実施するための形態】
【００１４】
（本発明の第１の実施形態に係る移動通信システム）
図１乃至図３を参照して、本発明の第１の実施形態に係る移動通信システムについて説明する。本実施形態では、本実施形態に係る移動通信システムとして、ＬＴＥのＲｅｌｅａｓｅ-１０方式の移動通信システムを例示して説明するが、本発明は、ＬＴＥ方式以外の移動通信システムにも適用可能である。
【００１５】
すなわち、図１に示すように、本実施形態に係る移動通信システムでは、無線基地局ｅＮＢが、配下のセル＃１において、ＣＳＩ-ＲＳを送信することができるように構成されている。
【００１６】
ここで、セル＃１は、マクロセルであってもよいし、ＣＳＧ（Ｃｌｏｓｅｄ  Ｓｕｂｓｃｒｉｂｅｒ  Ｇｒｏｕｐ）セルであってもよい。なお、ＣＳＧセルは、フェムト（Ｆｅｍｔｏ）セルやマイクロ（Ｍｉｃｒｏ）セルやピコ（Ｐｉｃｏ）セル等と呼ばれてもよい。
【００１７】
図２に示すように、無線基地局ｅＮＢ＃１は、送信部１１と、受信部１２と、スケジューリング部１３とを具備している。
【００１８】
送信部１１は、ＰＤＳＣＨを介して、配下のセル＃１において通信中の移動局ＵＥに対して、下りデータを送信するように構成されている。
【００１９】
また、送信部１１は、配下のセル＃１において、上述のＣＳＩ-ＲＳを送信するように構成されている。
【００２０】
さらに、送信部１１は、配下のセル＃１において通信中の移動局ＵＥに対して、「ＣＳＩ-ＲＳ/Ｍｕｔｉｎｇ  ｃｏｎｆｉｇｕｒａｔｉｏｎ  ｉｎｆｏｒｍａｔｉｏｎ」を通知するように構成されている。
【００２１】
かかる「ＣＳＩ-ＲＳ/Ｍｕｔｉｎｇ  ｃｏｎｆｉｇｕｒａｔｉｏｎ  ｉｎｆｏｒｍａｔｉｏｎ」には、ＣＳＩ-ＲＳ/Ｍｕｔｉｎｇのパターンや周期やサブフレームオフセット値等が含まれる。
【００２２】
具体的には、送信部１１は、「ＲＲＣ  ＣＯＮＮＥＣＴＩＯＮ  ＣＯＮＦＩＧＵＲＡＴＩＯＮ」等のＲＲＣメッセージによって、「ＣＳＩ-ＲＳ/Ｍｕｔｉｎｇ  ｃｏｎｆｉｇｕｒａｔｉｏｎ  ｉｎｆｏｒｍａｔｉｏｎ」を通知するように構成されていてもよい。
【００２３】
或いは、送信部１１は、報知信号（ＳＩＢ：Ｓｙｓｔｅｍ  Ｉｎｆｏｒｍａｔｉｏｎ  Ｂｌｏｃｋ）によって、「ＣＳＩ-ＲＳ/Ｍｕｔｉｎｇ  ｃｏｎｆｉｇｕｒａｔｉｏｎ  ｉｎｆｏｒｍａｔｉｏｎ」を通知するように構成されていてもよい。
【００２４】
また、送信部１１は、移動局ＵＥから、「ＲＲＣ  ＣＯＮＮＥＣＴＩＯＮ  ＣＯＮＦＩＧＵＲＡＴＩＯＮ  ＣＯＭＰＬＥＴＥ」を受信した後に、ＣＳＩ-ＲＳを送信するサブフレームにおける下りデータの送信を開始するように構成されていてもよい。
【００２５】
また、送信部１１は、移動局ＵＥから、「ＲＲＣ  ＣＯＮＮＥＣＴＩＯＮ  ＣＯＮＦＩＧＵＲＡＴＩＯＮ  ＣＯＭＰＬＥＴＥ」を受信した後に、ＣＳＩ-ＲＳを送信するサブフレームにおける隣接セルの下りデータの送信停止（すなわち、Ｍｕｔｉｎｇ）を開始するように構成されていてもよい。
【００２６】
ここで、送信部１１は、「ＲＲＣ  ＣＯＮＮＥＣＴＩＯＮ  ＣＯＮＦＩＧＵＲＡＴＩＯＮ」を送信してから、所定期間が経過した後に、ＣＳＩ-ＲＳを送信するサブフレームにおける下りデータの送信及びＭｕｔｉｎｇ（ＣＳＩ-ＲＳ/Ｍｕｔｉｎｇ）、すなわち、「Ｒａｔｅ  Ｍａｔｃｈｉｎｇ」を開始するように構成されていてもよい。
【００２７】
また、送信部１１は、移動局ＵＥの能力に基づいて、かかる移動局ＵＥに対して、「ＣＳＩ-ＲＳ/Ｍｕｔｉｎｇ  ｃｏｎｆｉｇｕｒａｔｉｏｎ  ｉｎｆｏｒｍａｔｉｏｎ」を通知するか否かについて判定するように構成されていてもよい。
【００２８】
例えば、送信部１１は、移動局ＵＥから受信した「ＵＥ  ＣＡＰＡＢＩＬＩＴＹ  ＩＮＦＯＲＭＡＴＩＯＮ」に含まれる移動局ＵＥのリリース番号に基づいて、かかる移動局ＵＥに対して、「ＣＳＩ-ＲＳ/Ｍｕｔｉｎｇ  ｃｏｎｆｉｇｕｒａｔｉｏｎ  ｉｎｆｏｒｍａｔｉｏｎ」を通知するか否かについて判定するように構成されていてもよい。
【００２９】
或いは、送信部１１は、移動管理ノードＭＭＥから受信した「ＩＮＩＴＩＡＬ  ＣＯＮＴＥＸＴ  ＳＥＴＵＰ  ＲＥＱＵＥＳＴ」に含まれる「ＵＥ  ＣＡＰＡＢＩＬＩＴＹ」に含まれる移動局ＵＥのリリース番号に基づいて、かかる移動局ＵＥに対して、「ＣＳＩ-ＲＳ/Ｍｕｔｉｎｇ  ｃｏｎｆｉｇｕｒａｔｉｏｎ  ｉｎｆｏｒｍａｔｉｏｎ」を通知するか否かについて判定するように構成されていてもよい。
【００３０】
すなわち、送信部１１は、ＬＴＥのＲｅｌｅａｓｅ-１０方式の移動局ＵＥに対してのみ、「ＣＳＩ-ＲＳ/Ｍｕｔｉｎｇ  ｃｏｎｆｉｇｕｒａｔｉｏｎ  ｉｎｆｏｒｍａｔｉｏｎ」を通知し、ＬＴＥのＲｅｌｅａｓｅ-８/９方式の移動局ＵＥに対しては、「ＣＳＩ-ＲＳ/Ｍｕｔｉｎｇ  ｃｏｎｆｉｇｕｒａｔｉｏｎ  ｉｎｆｏｒｍａｔｉｏｎ」を通知しないように構成されていてもよい。
【００３１】
受信部１２は、配下のセル＃１において通信中の移動局ＵＥから、「ＲＲＣ  ＣＯＮＮＥＣＴＩＯＮ  ＣＯＮＦＩＧＵＲＡＴＩＯＮ  ＣＯＭＰＬＥＴＥ」や「ＵＥ  ＣＡＰＡＢＩＬＩＴＹ  ＩＮＦＯＲＭＡＴＩＯＮ」等のメッセージを受信するように構成されている。
【００３２】
スケジューリング部１３は、配下のセル＃１において通信中の移動局ＵＥに対するスケジューリング処理を行うように構成されている。
【００３３】
例えば、スケジューリング部１３は、受信部１２によって「ＲＲＣ  ＣＯＮＮＥＣＴＩＯＮ  ＣＯＮＦＩＧＵＲＡＴＩＯＮ  ＣＯＭＰＬＥＴＥ」が受信されるまでは、ＣＳＩ-ＲＳを送信するサブフレームに、ＬＴＥのＲｅｌｅａｓｅ-１０方式の移動局ＵＥ宛てのＰＤＳＣＨを割り当てないようにスケジューリングする。
【００３４】
すなわち、送信部１１は、受信部１２によって「ＲＲＣ  ＣＯＮＮＥＣＴＩＯＮ  ＣＯＮＦＩＧＵＲＡＴＩＯＮ  ＣＯＭＰＬＥＴＥ」が受信されるまでは、ＣＳＩ-ＲＳを送信するサブフレームでは、ＬＴＥのＲｅｌｅａｓｅ-１０方式の移動局ＵＥ宛ての下りデータを送信しないように構成されている。
【００３５】
一方、スケジューリング部１３は、常時、ＣＳＩ-ＲＳを送信するサブフレームに、ＬＴＥのＲｅｌｅａｓｅ-８/９方式の移動局ＵＥ宛てのＰＤＳＣＨを割り当てないようにスケジューリングする。
【００３６】
すなわち、送信部１１は、常時、ＣＳＩ-ＲＳを送信するサブフレームにおいて、ＬＴＥのＲｅｌｅａｓｅ-８/９方式の移動局ＵＥ宛ての下りデータを送信しないように構成されている。
【００３７】
以下、図３を参照して、本実施形態に係る移動通信システムの動作について説明する。
【００３８】
図３に示すように、ステップＳ１００１において、移動局ＵＥは、無線基地局ｅＮＢに対して、「ＲＡＣＨ  ｐｒｅａｍｂｌｅ」を送信し、ステップＳ１００２において、無線基地局ｅＮＢは、移動局ＵＥに対して、「ＲＡＣＨ  ｒｅｓｐｏｎｓｅ」を送信する。
【００３９】
ステップＳ１００３において、移動局ＵＥは、無線基地局ｅＮＢに対して、「ＲＲＣ  ＣＯＮＮＥＣＴＩＯＮ  ＲＥＱＵＥＳＴ（Ｍｅｓｓａｇｅ  ３）」を送信し、ステップＳ１００４において、無線基地局ｅＮＢは、移動局ＵＥに対して、「ＲＲＣ  ＣＯＮＮＥＣＴＩＯＮ  ＳＥＴＵＰ（Ｍｅｓｓａｇｅ  ４）」を送信する。
【００４０】
ステップＳ１００５において、移動局ＵＥは、無線基地局ｅＮＢに対して、「ＲＲＣ  ＣＯＮＮＥＣＴＩＯＮ  ＳＥＴＵＰ  ＣＯＭＰＬＥＴＥ」を送信し、ステップＳ１００６において、無線基地局ｅＮＢは、移動管理ノードＭＭＥに対して、「ＩＮＩＴＩＡＬ  ＵＥ  ＭＥＳＳＡＧＥ」を送信する。
【００４１】
ステップＳ１００７において、移動局ＵＥと移動管理ノードＭＭＥとの間で、「Ａｕｔｈｅｎｔｉｃａｔｉｏｎ」や「ＮＡＳ  ｓｅｃｕｒｉｔｙ  ｐｒｏｃｅｄｕｒｅ」が行われた後、ステップＳ１００８において、移動管理ノードＭＭＥは、無線基地局ｅＮＢに対して、「ＩＮＩＴＩＡＬ  ＣＯＮＴＥＸＴ  ＳＥＴＵＰ  ＲＥＱＵＥＳＴ」を送信する。
【００４２】
ここで、「ＩＮＩＴＩＡＬ  ＣＯＮＴＥＸＴ  ＳＥＴＵＰ  ＲＥＱＵＥＳＴ」に「ＵＥ  ＣＡＰＡＢＩＬＩＴＹ」が含まれていない場合、ステップＳ１００９において、無線基地局ｅＮＢは、移動局ＵＥに対して、「ＵＥ  ＣＡＰＡＢＩＬＩＴＹ  ＥＮＱＵＩＲＹ」を送信し、ステップＳ１０１０において、移動局ＵＥは、無線基地局ｅＮＢに対して、「ＵＥ  ＣＡＰＡＢＩＬＩＴＹ  ＩＮＦＯＲＭＡＴＩＯＮ」を送信し、ステップＳ１０１１において、無線基地局ｅＮＢは、移動管理ノードＭＭＥに対して、「ＵＥ  ＣＡＰＡＢＩＬＩＴＹ  ＩＮＦＯ  ＩＮＤＩＣＡＴＩＯＮ」を送信する。
【００４３】
ステップＳ１０１２において、無線基地局ｅＮＢは、移動局ＵＥに対して、「ＳＥＣＵＲＩＴＹ  ＭＯＤＥ  ＣＯＭＭＡＮＤ」を送信する。
【００４４】
なお、無線基地局ｅＮＢは、移動局ＵＥが、「ＵＥ  ＣＡＰＡＢＩＬＩＴＹ」に基づいて、ＬＴＥのＲｅｌｅａｓｅ-１０方式の移動局ＵＥであると判断した場合、ステップＳ１０１３において、かかる移動局ＵＥに対して、「ＣＳＩ-ＲＳ/Ｍｕｔｉｎｇ  ｃｏｎｆｉｇｕｒａｔｉｏｎ  ｉｎｆｏｒｍａｔｉｏｎ」を含む「ＲＲＣ  ＣＯＮＮＥＣＴＩＯＮ  ＣＯＮＦＩＧＵＲＡＴＩＯＮ」を送信する。
【００４５】
ステップＳ１０１４において、移動局ＵＥは、無線基地局ｅＮＢに対して、「ＲＲＣ  ＣＯＮＮＥＣＴＩＯＮ  ＣＯＮＦＩＧＵＲＡＴＩＯＮ  ＣＯＭＰＬＥＴＥ」を送信する。
【００４６】
無線基地局ｅＮＢは、「ＲＲＣ  ＣＯＮＮＥＣＴＩＯＮ  ＣＯＮＦＩＧＵＲＡＴＩＯＮ  ＣＯＭＰＬＥＴＥ」を受信した後、すなわち、「Ａｍｂｉｇｕｉｔｙ  Ｐｅｒｉｏｄ」が経過した後、ステップＳ１０１５において、ＣＳＩ-ＲＳを送信するサブフレームにおける移動局ＵＥ宛ての下りデータの送信及び隣接セルの下りデータの送信停止（ＣＳＩ-ＲＳ/Ｍｕｔｉｎｇ）、すなわち、「Ｒａｔｅ  Ｍａｔｃｈｉｎｇ（レートマッチング）」を開始する。
【００４７】
ここで、移動局ＵＥは、「ＣＳＩ-ＲＳ/Ｍｕｔｉｎｇ  ｃｏｎｆｉｇｕｒａｔｉｏｎ  ｉｎｆｏｒｍａｔｉｏｎ」に基づいて、受信処理（例えば、復調処理等）を行う。
【００４８】
例えば、移動局ＵＥは、受信処理として、ＣＳＩ-ＲＳの配置に応じた「Ｒａｔｅ  Ｍａｔｃｈｉｎｇ」を行ってもよい。
【００４９】
具体的には、移動局ＵＥは、受信処理として、ＣＳＩ-ＲＳ/Ｍｕｔｉｎｇが行われるＲＥ（Ｒｅｓｏｕｒｃｅ  Ｅｌｅｍｅｎｔ）周辺では、ＰＤＳＣＨに対する「Ｒａｔｅ  Ｍａｔｃｈｉｎｇ」を行うように構成されている。
【００５０】
或いは、移動局ＵＥは、移動局ＵＥは、受信処理として、ＣＳＩ-ＲＳを用いたチャネル測定を行ってもよい。
【００５１】
本実施形態に係る移動通信システムによれば、無線基地局ｅＮＢが、移動局ＵＥから「ＲＲＣ  ＣＯＮＮＥＣＴＩＯＮ  ＣＯＮＦＩＧＵＲＡＴＩＯＮ  ＣＯＭＰＬＥＴＥ」を受信した後、ＣＳＩ-ＲＳを送信するサブフレームにおける移動局ＵＥ宛ての下りデータの送信及び隣接セルの下りデータの送信停止を開始することによって、適切に、ＣＳＩ-ＲＳの送信を行うことができる。
【００５２】
また、従来のＬＴＥ方式では、ＬＴＥのＲｅｌｅａｓｅ-１０方式の移動局ＵＥのみが、ＣＳＩ-ＲＳを受信することができ、ＬＴＥのＲｅｌｅａｓｅ-８/９方式の移動局ＵＥは、かかるＣＳＩ-ＲＳを受信することができないにも関わらず、「ＣＳＩ-ＲＳ/Ｍｕｔｉｎｇ  ｃｏｎｆｉｇｕｒａｔｉｏｎ  ｉｎｆｏｒｍａｔｉｏｎ」が、全ての移動局ＵＥに対して報知されてしまうという問題点があった。
【００５３】
これに対して、本実施形態に係る移動通信システムによれば、配下のセル＃１において通信中の移動局ＵＥに対して、「ＲＲＣ  ＣＯＮＮＥＣＴＩＯＮ  ＣＯＮＦＩＧＵＲＡＴＩＯＮ」等のＲＲＣメッセージ（個別メッセージ）によって、「ＣＳＩ-ＲＳ/Ｍｕｔｉｎｇ  ｃｏｎｆｉｇｕｒａｔｉｏｎ  ｉｎｆｏｒｍａｔｉｏｎ」を通知するように構成されているため、無駄な情報を報知することなく、ＣＳＩ-ＲＳ/Ｍｕｔｉｎｇを実現することができる。
【００５４】
以上に述べた本実施形態の特徴は、以下のように表現されていてもよい。
【００５５】
本実施形態の第１の特徴は、無線基地局ｅＮＢが、配下のセル＃１において、ＣＳＩ-ＲＳ（チャネル品質情報測定専用の参照信号）を送信する移動通信方法であって、無線基地局ｅＮＢが、配下のセル＃１において通信中の移動局ＵＥに対して、ＣＳＩ-ＲＳの送信方法を示す「ＣＳＩ-ＲＳ/Ｍｕｔｉｎｇ  ｃｏｎｆｉｇｕｒａｔｉｏｎ  ｉｎｆｏｒｍａｔｉｏｎ（構成情報）」を通知する工程Ａと、移動局ＵＥが、無線基地局ｅＮＢから「ＲＲＣ  ＣＯＮＮＥＣＴＩＯＮ  ＣＯＮＦＩＧＵＲＡＴＩＯＮ（コネクション再構成信号）」を受信した後に、「ＣＳＩ-ＲＳ/Ｍｕｔｉｎｇ  ｃｏｎｆｉｇｕｒａｔｉｏｎ  ｉｎｆｏｒｍａｔｉｏｎ」に基づいて、受信処理を行う工程Ｂと、無線基地局ｅＮＢが、移動局ＵＥから「ＲＲＣ  ＣＯＮＮＥＣＴＩＯＮ  ＣＯＮＦＩＧＵＲＡＴＩＯＮ  ＣＯＭＰＬＥＴＥ（コネクション再構成信号に対する応答）」を受信した後に、ＣＳＩ-ＲＳを送信するサブフレームにおける下りデータの送信を開始する工程Ｃとを有することを要旨とする。
【００５６】
本実施形態の第１の特徴において、「ＣＳＩ-ＲＳ/Ｍｕｔｉｎｇ  ｃｏｎｆｉｇｕｒａｔｉｏｎ  ｉｎｆｏｒｍａｔｉｏｎ」は、「ＳＩＢ（報知信号）」に含まれていてもよい。
【００５７】
本実施形態の第１の特徴において、「ＣＳＩ-ＲＳ/Ｍｕｔｉｎｇ  ｃｏｎｆｉｇｕｒａｔｉｏｎ  ｉｎｆｏｒｍａｔｉｏｎ」は、「ＲＲＣ  ＣＯＮＮＥＣＴＩＯＮ  ＣＯＮＦＩＧＵＲＡＴＩＯＮ」に含まれていてもよい。
【００５８】
本実施形態の第１の特徴において、工程Ｂにおいて、移動局ＵＥは、受信処理として、ＣＳＩ-ＲＳの配置に応じたレートマッチングを行ってもよい。
【００５９】
本実施形態の第１の特徴において、工程Ｂにおいて、移動局ＵＥは、受信処理として、ＣＳＩ-ＲＳを用いたチャネル測定を行ってもよい。
【００６０】
本実施形態の第１の特徴において、工程Ａにおいて、無線基地局ｅＮＢは、移動局ＵＥの能力（例えば、移動局ＵＥのリリース番号）に基づいて、移動局ＵＥに対して、「ＣＳＩ-ＲＳ/Ｍｕｔｉｎｇ  ｃｏｎｆｉｇｕｒａｔｉｏｎ  ｉｎｆｏｒｍａｔｉｏｎ」を通知するか否かについて判定してもよい。
【００６１】
本実施形態の第２の特徴は、配下のセル＃１において、ＣＳＩ-ＲＳを送信することができるように構成されている無線基地局ｅＮＢであって、配下のセル＃１において通信中の移動局ＵＥに対して、「ＣＳＩ-ＲＳ/Ｍｕｔｉｎｇ  ｃｏｎｆｉｇｕｒａｔｉｏｎ  ｉｎｆｏｒｍａｔｉｏｎ」を通知するように構成されている送信部１１を具備しており、送信部１１は、移動局ＵＥから「ＲＲＣ  ＣＯＮＮＥＣＴＩＯＮ  ＣＯＮＦＩＧＵＲＡＴＩＯＮ  ＣＯＭＰＬＥＴＥ」を受信した後に、ＣＳＩ-ＲＳを送信するサブフレームにおける下りデータの送信を開始するように構成されていることを要旨とする。
【００６２】
本実施形態の第２の特徴において、送信部１１は、ＳＩＢによって、「ＣＳＩ-ＲＳ/Ｍｕｔｉｎｇ  ｃｏｎｆｉｇｕｒａｔｉｏｎ  ｉｎｆｏｒｍａｔｉｏｎ」を通知するように構成されていてもよい。
【００６３】
本実施形態の第２の特徴において、送信部１１は、「ＲＲＣ  ＣＯＮＮＥＣＴＩＯＮ  ＣＯＮＦＩＧＵＲＡＴＩＯＮ」によって、「ＣＳＩ-ＲＳ/Ｍｕｔｉｎｇ  ｃｏｎｆｉｇｕｒａｔｉｏｎ  ｉｎｆｏｒｍａｔｉｏｎ」を通知するように構成されていてもよい。
【００６４】
本実施形態の第２の特徴において、送信部１１は、移動局ＵＥの能力（例えば、移動局ＵＥのリリース番号）に基づいて、移動局ＵＥに対して、「ＣＳＩ-ＲＳ/Ｍｕｔｉｎｇ  ｃｏｎｆｉｇｕｒａｔｉｏｎ  ｉｎｆｏｒｍａｔｉｏｎ」を通知するか否かについて判定するように構成されていてもよい。
【００６５】
なお、上述の移動管理ノードＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００６６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ｅＮＢや移動局ＵＥ内に設けられていてもよい。また、かかる記憶媒体及びプロセッサは、ディスクリートコンポーネントとして移動管理ノードＭＭＥや無線基地局ｅＮＢや移動局ＵＥ内に設けられていてもよい。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６９】
ＵＥ…移動局
ＭＭＥ…移動管理ノード
ｅＮＢ…無線基地局
１１…送信部
１２…受信部
１３…スケジューリング部
【図１】
2012109843.tif 000003
【図２】
2012109843.tif 000004
【図３】
2012109843.tif 000005
【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
無線基地局が、配下のセルにおいて、チャネル品質情報測定専用の参照信号を送信する移動通信方法であって、
前記無線基地局が、配下のセルにおいて通信中の移動局に対して、前記参照信号の送信方法を示す構成情報を通知する工程Ａと、
前記移動局が、前記無線基地局からコネクション再構成信号を受信した後に、前記構成情報に基づいて、受信処理を行う工程Ｂと、
前記無線基地局が、前記参照信号を送信するタイミングでは、前記下りデータを送信しない工程Ｃとを有することを特徴とする移動通信方法。
【請求項２】
前記構成情報は、前記コネクション再構成信号に含まれることを特徴とする請求項１に記載の移動通信方法。
【請求項３】
前記工程Ｂにおいて、前記移動局は、前記受信処理として、前記参照信号の配置に応じたレートマッチングを行うことを特徴とする請求項１又は２に記載の移動通信方法。
【請求項４】
前記工程Ｂにおいて、前記移動局は、前記受信処理として、前記参照信号を用いたチャネル測定を行うことを特徴とする請求項１又は２に記載の移動通信方法。
【請求項５】
前記工程Ａにおいて、前記無線基地局は、所定のリリース番号に対応する能力を有する前記移動局に対して、前記構成情報を通知することを特徴とする請求項１乃至４のいずれか一項に記載の移動通信方法。
【請求項６】
配下のセルにおいて、チャネル品質情報測定専用の参照信号を送信することができるように構成されている無線基地局であって、
配下のセルにおいて通信中の移動局に対して、前記参照信号の送信方法を示す構成情報を通知するように構成されている送信部を具備しており、
前記送信部は、前記参照信号を送信するタイミングでは、前記下りデータを送信しないように構成されていることを特徴とする無線基地局。
【請求項７】
前記送信部は、前記コネクション再構成信号によって、前記構成情報を通知するように構成されていることを特徴とする請求項６に記載の無線基地局。
【請求項８】
前記送信部は、所定のリリース番号に対応する能力を有する前記移動局に対して、前記構成情報を通知するか否かについて判定するように構成されていることを特徴とする請求項６又は７に記載の無線基地局。
【請求項９】
無線基地局が、配下のセルにおいて、チャネル品質情報測定専用の参照信号を送信するように構成されている移動通信システムであって、
前記無線基地局は、配下のセルにおいて通信中の移動局に対して、前記参照信号の送信方法を示す構成情報を通知するように構成されている送信部を具備しており、
前記移動局は、前記無線基地局からコネクション再構成信号を受信した後に、前記構成情報に基づいて、受信処理を行うように構成されており、
前記送信部は、前記参照信号を送信するタイミングでは、前記下りデータを送信しないように構成されていることを特徴とする移動通信システム。